(57)【特許請求の範囲】
【請求項１】
家具部（１３）の家具用金具（２）のための固定具（１）であって、
家具部（１３）のドリル孔（１４）内に挿入可能であり、ダウェルスリーブ（４）の内
側に設置される少なくとも１つのダウェルコア（３）と、
前記ダウェルスリーブ（４）を前記ダウェルコア（３）に対して移動可能とし、前記ダ
ウェルスリーブ（４）を前記ダウェルコア（３）の上で膨出させる作動装置（５）と、を含んでおり、
前記ダウェルコア（３）と前記ダウェルスリーブ（４）とには、軸方向にオフセットされた少なくとも２つ、好適にはそれ以上の対応した傾斜面（７、７’、７”、８、８’、８”）が提供されており、
それにより、前記ダウェルコア（３）に対する前記ダウェルスリーブ（４）の相対移動は、２あるいは好適にはそれ以上の軸方向にオフセットされた位置でダウェルスリーブ（４）の実質的に均質な膨出を引き起こすことを特徴とする固定具。
【請求項２】
前記ダウェルコア（３）は、好適には本質的に円筒状である弾性コアスリーブとして提供されていることを特徴とする請求項１記載の固定具。
【請求項３】
前記ダウェルコア（３）には、少なくとも１本の、好適には本質的に軸方向の長手連続状スリット（６）が提供されていることを特徴とする請求項１または２記載の固定具。
【請求項４】
前記ダウェルコア（３）は、少なくとも部分的に、好適には本質的に全体的に金属材料で、好適にはバネ鋼で製造されていることを特徴とする請求項１から３のいずれかに記載の固定具。
【請求項５】
前記ダウェルコア（３）には、少なくとも１つの傾斜面（７、７’、７”）が提供されていることを特徴とする請求項１から４のいずれかに記載の固定具。
【請求項６】
前記ダウェルコア（３）には、軸方向にオフセットした複数の傾斜面（７、７’、７”）が提供されていることを特徴とする請求項１から５のいずれかに記載の固定具。
【請求項７】
前記ダウェルコア（３）は、放射状に弾性であるように製造されていることを特徴とする請求項１から６のいずれかに記載の固定具。
【請求項８】
前記ダウェルコア（３）は、少なくとも部分的に、好適には本質的に完全に金属材料で、好適にはバネ鋼で製造されていることを特徴とする請求項１から７のいずれかに記載の固定具。
【請求項９】
前記ダウェルスリーブ（４）には、少なくとも１つの傾斜面（８、８’、８”）が提供されていることを特徴とする請求項１から８のいずれかに記載の固定具。
【請求項１０】
前記ダウェルスリーブ（４）には、複数の軸方向にオフセットした傾斜面（８、８’、８”）が提供されていることを特徴とする請求項１から９のいずれかに記載の固定具。
【請求項１１】
前記ダウェルコア（３）は、放射状に弾性であるように製造されていることを特徴とする請求項１から１０のいずれかに記載の固定具。
【請求項１２】
前記ダウェルスリーブ（４）は、断面が波型である内側鞘面（９）を有しており、前記ダウェルコア（３）は、前記内側鞘面（９）に合致する断面が波型である外側鞘面（９’）を有していることを特徴とする請求項１から１１のいずれかに記載の固定具。
【請求項１３】
前記ダウェルスリーブ（４）と前記ダウェルコア（３）は、膨出状態及び弛緩状態のいずれにおいても常に相互面接触状態であることを特徴とする請求項１から１２のいずれかに記載の固定具。
【請求項１４】
前記家具用金具（２）には、固定フランジ（１０）が提供されており、前記ダウェルコア（３）は、前記固定フランジ（１０）に取り付けられ、
前記ダウェルスリーブ（４）は前記固定フランジ（１０）の方向に前記作動装置（５）の手段で引き寄せが可能となるように構成されていることを特徴とする請求項１から１３のいずれかに記載の固定具。
【請求項１５】
前記家具用金具（２）には、家具部（１３）の２つのドリル孔（１４）に挿入可能な２つのダウェルコア（３）と、２つのダウェルスリーブ（４）とが提供されていることを特徴とする請求項１から１４のいずれかに記載の固定具。
【請求項１６】
前記作動装置（５）は、旋回レバーとして構築されていることを特徴とする請求項１から１５のいずれかに記載の固定具。
【請求項１７】
前記家具用金具（２）には、蝶番カップ（１１）が提供されており、本固定具（１）は、該蝶番カップ（１１）の外側に設置されていることを特徴とする請求項１から１６のいずれかに記載の固定具。
【請求項１８】
本固定具（１）の前記ダウェルコア（３）と前記ダウェルスリーブ（４）だけが、前記家具部（１３）のそれぞれのドリル孔（１４）内に挿入されることを特徴とする請求項１から１７のいずれかに記載の固定具。
【請求項１９】
スペーサディスク（１２）が前記ダウェルコア（１）と、前記固定フランジ（１０）との間に配置されていることを特徴とする請求項１から１８のいずれかに記載の固定具。
【請求項２０】
請求項１から１９のいずれかに記載の固定具（１）を備えていることを特徴とする家具用金具（２）。
【請求項２１】
請求項１から１９のいずれかに記載の固定具（１）を備えていることを特徴とする家具（１７）。 
【発明の詳細な説明】
【技術分野】
【０００１】
本発明は、家具部に使用される家具用金具の固定具に関し、この固定具は、請求項１に記載する部材を含んでおり、さらに、そのような固定具を有した家具用金具と、そのような家具用金具を有した家具部と、そのような家具部を有した家具に関する。
【背景技術】
【０００２】
この固定具は、家具部のドリル孔に差し込み可能な少なくとも１つのダウェルコアを有する。ダウェルコアは、ダウェルスリーブ内に受領される。この固定具は、さらにダウェルスリーブをダウェルコアに対して移動させる作動装置を有しており、作動装置によってダウェルスリーブは、ダウェルコア上で膨出（膨張）する。
【０００３】
ネジを使用する固定ではなく、ダウェル型の締付部材を使用して家具用金具を固定することの利点は、工具を使用せずに取り付け作業が可能なことであり、取り付け作業が短縮できることである。ダウェル型の締付部材のさらなる利点は、ネジの場合とは異なり“過剰締付”が回避できることである。ネジを使用する場合には、この過剰締付は、結局のところ家具用金具の家具部の保持力を劣化させる。
【０００４】
特許文献１は、家具部のドリル孔に差し込み可能な少なくとも１つのスリーブ型係留部材を有する家具部に隣接して金具本体を備えた家具部に着脱式に固定可能な金具を開示する。好適には、金具本体に当接するこのスリーブ型係留部材のための締付部は、家具部とは反対側に面する金具本体の側部に提供される。
【０００５】
特許文献２は、家具部に隣接した金具本体と、家具部のドリル孔に挿入可能で、その鞘部上にて長手軸方向にずれている複数の保持用突起部、好適には、膨出スリーブのための円錐頂点部及び金具本体から突き出る釘型膨出部を備えた少なくとも１つのダウェル型膨出スリーブを有した着脱式固定用の金具を開示する。ここでは、有利には金具本体に当接する膨出スリーブの締付部は、家具部とは反対向きの金具の側部に提供されている。
【０００６】
特許文献３、特許文献４、特許文献５及び特許文献６は、従来技術の一般例を開示するものである。
【先行技術文献】
【特許文献】
【０００７】
【特許文献１】独国実用新案公開第２０００２９９４Ｕ１号明細書
【特許文献２】国際公開第１９９９／０２４７２３Ａ１号パンフレット
【特許文献３】独国特許出願公開第１９５０５３１１Ａ１号明細書
【特許文献４】米国特許第５５３６１２２Ａ号明細書
【特許文献５】欧州特許出願公開第１０５４１６８Ａ２号明細書
【特許文献６】オーストリア特許第３５２３３３Ｂ１号明細書
【発明の開示】
【発明が解決しようとする課題】
【０００８】
本発明は、前述の弱点を回避し、従来技術を改良した家具用金具のための固定具と、改良された家具用金具と、改良された家具部と、改良された家具とを提供することを目的とする。
【課題を解決するための手段】
【０００９】
この目的は、請求項１の特徴を備えた固定具と、請求項１５による固定具を有した家具用金具と、請求項２０による家具用金具を有した家具部と、請求項２１による家具部を有した家具とによって達成される。
【００１０】
ダウェルコアに対するダウェルスリーブの相対変位は、２つ、好適には、それ以上の長手軸方向にオフセットされた位置でダウェルスリーブの実質的に均等な膨出を引き起こす。換言すれば、それら軸方向にオフセットされた傾斜面は、ダウェルスリーブがダウェルコア上をスライドし、これら傾斜面にて外側にダウェルコアと平行状態で膨出することを意味する。（通常の場合である）ダウェルスリーブの下方部のみならず、ダウェルスリーブの全長にわたるこの連続膨出で、増加した均等な保持力が、ハードウッド、ＭＤＦ、チップボード、ソフトボード、等々のごとき様々な材質でも得られる。このことは、頑強性が非均質である材料の場合に特に有益である。なぜなら、ダウェルシステムでは、大きな領域がカバーされるため、保持力が強力で良好なものになるからである。
【００１１】
本発明のさらなる利点は、従属請求項にて定義されている。
【００１２】
本発明のさらなる詳細と利点を、添付の図面に図示された実施例に関する以下の図面を利用してさらに詳細に説明する。
【図面の簡単な説明】
【００１３】
【図１ａ】図１ａは、家具用金具の分解斜視図である。
【図１ｂ】図１ｂは、家具用金具の固定具の正面断面図である。
【図２ａ】図２ａは、開いた状態の固定具の側面図である。
【図２ｂ】図２ｂは、閉じた状態の固定具の側面図である。
【図３ａ】図３ａは、固定具が開いた状態にある家具部のドリル孔の断面図である。
【図３ｂ】図３ｂは、固定具が閉じた状態にある家具部のドリル孔の断面図である。
【図４】図４は、家具用金具が取り付けられた家具部の斜視図である。
【発明を実施するための形態】
【００１４】
図１ａは、家具部１３（不図示）の家具用金具２を図示する。家具用金具２には、家具部１３に設けられた２つのドリル孔１４（不図示）内に挿入される固定具１が取り付けられている。この実施例では、固定具１は、２つのダウェルコア３及び２つのダウェルスリーブ４を有している。固定具１は、家具部１３のこれら２つのドリル孔１４内に挿入できる。スペーサディスク１２がダウェルコア３と家具用金具２の固定フランジ１０との間に配置される。ピン１５が存在することで、ダウェルスリーブ４は、固定フランジ１０の方向に作動装置５によって引っ張られる。ダウェルコア３は、ダウェルコア３を通って長手方向に延びる長手スリット６を有しており、円筒状スプリングコアスリーブを形成している。ダウェルコア３とダウェルスリーブ４の材質は、好適には金属であり、最も好適にはバネ鋼である。１好適実施例においては、ダウェルスリーブ４がＣ６７バネ鋼で造られ、ダウェルコア３がＣ６０バネ鋼で造られると有利である。ダウェルスリーブ４が作動装置５によって固定フランジ１０の方向に引っ張られると、ダウェルスリーブ４はダウェルコア３の作用によって膨出し、家具用金具２を家具部１３のドリル孔１４（図１ｂ及び図３ｂ参照）に固定させる。
【００１５】
また、この実施例では、ダウェルコア３は、固定フランジ１０に取り付けられている。ダウェルコア３と固定フランジ１０との間にはスペーサディスク１２が提供される。スペーサディスク１２の一部は、固定フランジ１０内に突起し、別部分は、ドリル孔１４内に突起する。よってスペーサディスク１２は、横方向の作用力を吸収し、とりわけ家具部１３に負荷が作用しているときに作用力を吸収し、従ってダウェルコア３を安定させ、固定フランジ１０での変形を減少させ、システム全体に増加した引張力を提供する。この実施例では、スペーサディスク１２には、好適にはドグ１８が提供され、スペーサディスク１２は、固定フランジ１０に嵌め込まれ、固定フランジ１０に着脱式に固定される。この実施例では、ダウェルスリーブ４は、一体的に形成されているが、別実施例では、ダウェルスリーブ４は複数の部品で形成してもよい。
【００１６】
図１ｂは、家具部１３のドリル孔１４に取り付けられた家具用金具２を示す。この場合、家具用金具２の固定具１は、蝶番カップ１１のドリル孔１６の外周近辺に設けられた２つのドリル孔１４に取り付けられる。
【００１７】
図２ａは、家具用金具２を家具部１３（不図示）に固定させる固定具１を備えた家具用金具２を示す。この場合、固定具１は、作動装置５を有しており、作動装置５は、本実施例では旋回レバーとして形成されている。本例の場合には、この旋回レバーによって引っ張られるダウェルスリーブ４は、蝶番カップ１１の外側に設置される。
【００１８】
よって、図２ａで示す作動装置５は、図２ｂで示すように水平位置にまで旋回され、その後にダウェルスリーブ４は、その作動装置５によって作動装置５の方向に引っ張られ、ダウェルコア３の上で膨出する。
【００１９】
図３ａは、家具部１３とそのドリル孔１４を通過する断面を示す。このドリル孔１４内には、ダウェルコア３と、スペーサディスク１２と、ダウェルスリーブ１４だけが存在する。オプションのスペーサディスク１２は、ダウェルコア３上に存在し、ダウェルスリーブ４がダウェルコア３の上で引っ張られるとき、すなわちダウェルコア３が固定フランジ１０での変形が小さくなると、システム全体で改善された作用力の伝達が可能になる。
【００２０】
この実施例では、ダウェルコア３とダウェルスリーブ４は、それら両方が放射状に弾力性を備えており、主として金属材料によって製造されている。さらに、それらは、長手スリットを備える。この実施例では、ダウェルコア３には、１つの連続長手スリット６（不図示）が提供され、ダウェルスリーブ４には、複数の不連続長手スリットが提供される。ダウェルコア３とダウェルスリーブ４の両方には、軸方向にオフセットされた複数の傾斜面７、７’、７”、８、８’、８”が提供される。この場合、用語“軸方向”とは、ドリル孔１４の縦軸方向のことであり、これは、固定具のダウェルコア３とダウェルスリーブ４の挿入方向に一致する。ダウェルスリーブ４の内側鞘面９の断面形状は、本質的に波型であり、ダウェルコア３の外側鞘面９’の断面形状も波型であり、これら２つの波型鞘面９、９’は互いに合致する。
【００２１】
図３ｂは、図３ａで上述した固定具１のダウェルコア３とダウェルスリーブ４を示す。
しかし、図３ｂでは、固定具１は、作動装置５（図２ａと図２ｂ参照；ここでは不図示）を利用して作動状態になっている。この場合、家具部１３のドリル孔１４内に突起しているのは、固定具１のダウェルコア３とダウェルスリーブ４のみであり、ダウェルコア３には、まだオプションのスペーサディスク１２が提供されている。この状態にて、家具用金具２が負荷状態にあるとき、特に固定フランジ１０におけるダウェルコア３の変形を少なくするために、その横方向作用力を吸収する。
【００２２】
作動装置５（不図示）を作動させることで、ダウェルスリーブ４は、固定フランジ１０の方向に引き付けられてダウェルコア３の上で膨張し、固定具１を家具部１３のドリル孔１４に係留させる。ダウェルコア３の傾斜面７、７’は、ダウェルスリーブ４の傾斜面８、８’に合致するため、ダウェルスリーブ４の本質的に均等な膨出が軸方向でオフセットしている複数の位置にて発生する。ダウェルスリーブ４のこの連続状態の膨出によって、家具部１３の材料不均衡（同一材料の一部は相対的に硬質であり、一部は、相対的に軟質であるような材質の不均衡）は実質的に均質化され、家具部１３での家具用金具２の保持力に対して不都合な影響を及ぼさない。さらに、放射状に弾性であるダウェルコア３は、硬質ボード、ＭＤＦ、チップボード、軟質ボード、等々の家具部１３の種々な材料に使用される家具用金具を確実に良好なものとする。なぜなら、家具部１３に硬質材料が使用されるとき、弾性ダウェルコア３は、内側に大きく変形するが、一方、軟質材料が家具部１３に使用されるときには、弾性のダウェルコア３は、変形程度が少ない。よって材質とは無関係に、一定量の負荷が固定具１から家具部１２に伝達されるため、家具部１３での家具用金具２の充分な保持力を確実に提供する。
【００２３】
膨出状態と弛緩状態との両方でダウェルコア３とダウェルスリーブ４は、常に表面接触状態であり、家具部１３が動的に荷重されると、弾性ダウェルコア３は、固定具１を家具部１３に押し付けた状態に保ち、負荷状態の家具部１３のドリル孔１４での家具部用金具２の保持力は増強される。
【００２４】
連続状態の膨出の作用によって、すなわちダウェルスリーブ４がその下端の膨出だけではなく、その鞘表面に沿って均等に膨出するため、負荷の伝達が“大き過ぎる”家具部１３のドリル孔１４であっても起き、通常のドリル孔１４の場合と同様に増強された保持力が提供される。
【００２５】
さらに、弛緩状態のときでさえダウェルスリーブ４とダウェルコア３は、常に互いに表面接触しているため、固定具１は、その場に保持され、家具用金具２とその固定具１を家具部１３のドリル孔１４内に容易に挿入することができ、家具用金具２は、家具部１３に容易に取り付けられる。
【００２６】
従って、このような固定装置１は、家具部３の製造に使用される種々な材料における家具用金具２の良好な保持力を確実に提供し、家具部１３の材料の不均衡性が家具用金具２の保持力に対して不都合な影響を及ぼさないようにする。さらに、作動装置５を作動させるのに要する作用力は小さく保たれる。なぜならダウェルスリーブ４とダウェルコア３の弾性は、作用力の伝達に好都合に影響するからである。
【００２７】
図４は、家具部１３を備え、そこに家具用金具２が固定具１によって取り付けられている家具１７を示す。
【００２８】
これら実施例は、蝶番カップ１１の外側に提供された固定具１も示しているが、このような構造を本発明の限定要素として理解するべきではない。そのような固定具１は、家具用金具２を家具部１３に固定するために家具部１３のいかなるドリル孔にも固定できる。
【００２９】
家具部に使用される家具用金具のための固定具の説明をした実施例は、本発明を限定するものではなく、それらは、家具用金具のための固定具の発明概念を具現化する多数の可能な個別の例に過ぎない。
【符号の説明】
【００３０】
１・・・固定具
２・・・家具用金具
３・・・ダウェルコア
４・・・ダウェルスリーブ
５・・・作動装置
６・・・長手スリット
７、７’、７”・・・ダウェルコア３の傾斜面
８、８’、８”・・・ダウェルスリーブ４の傾斜面
９・・・ダウェルスリーブ４の内側鞘表面
９’・・・ダウェルコア３の外側鞘表面
１０・・・固定フランジ
１１・・・蝶番カップ
１２・・・スペーサディスク
１３・・・家具部
１４・・・ドリル孔
１５・・・ピン
１６・・・蝶番カップ１１のためのドリル孔
１７・・・家具
１８・・・ダウェルコア３のドグ
【図１ａ】
0005538547.tif 000002
【図１ｂ】
0005538547.tif 000003
【図２ａ】
0005538547.tif 000004
【図２ｂ】
0005538547.tif 000005
【図３ａ】
0005538547.tif 000006
【図３ｂ】
0005538547.tif 000007
【図４】
0005538547.tif 000008